(57)【要約】【課題】浴室の設置に好適な浴室鏡を提供する。【解決手段】本発明は、浴室２の壁部１０ｂに沿って設けられた腰掛け台５と、該腰掛け台５の近傍に設けられた手摺り８Ａ、８Ｂと、浴室２内に設置された浴槽３と、浴室鏡１とを備えた浴室構造Ａであって、浴室鏡１は、鏡部と、一端側において前記鏡部を支持するアーム部と、該アーム部の他端側に設けられた把持部とを具備し、該アーム部の他端側の前記把持部が、手摺り８Ａに着脱自在に取り付けられていることを特徴とする。【選択図】図１
2012005709.tif 000002
【特許請求の範囲】
【請求項１】
浴室の壁部に沿って設けられた腰掛け台と、該腰掛け台の近傍に設けられた手摺りと、前記浴室内に設置された浴槽と、浴室鏡とを備えた浴室構造であって、
前記浴室鏡は、鏡部と、一端側において前記鏡部を支持するアーム部と、該アーム部の他端側に設けられた把持部とを具備し、
該アーム部の他端側の前記把持部が、前記手摺りに着脱自在に取り付けられていることを特徴とする浴室構造。
【発明の詳細な説明】
【技術分野】
【０００１】
本発明は、浴室に腰掛け台、手摺り、及び浴室鏡を備えた浴室構造に関する。
【背景技術】
【０００２】
近年、浴室構造として、カウンターの代わりに壁に沿って腰掛け台を設置し、該腰掛け台に座ってシャワーを浴びたり、腰掛け台に対向する壁面に設置した浴室用テレビ等を観賞しながら身体を洗ったりすることのできるものが提案されている。
このような浴室構造においては、浴室の壁面に背を向けて腰掛け台に座るようになっているため、浴室内に設置される鏡として、腰掛け台に座った状態で手元に鏡を引き出して利用できるものが適している。
【０００３】
従来より、鏡を自らの身体の近傍に自在に配置できるものとしては、鏡にアームを取り付け、該アームの基端部を浴室の壁部に固定し、適宜手元に引き寄せる等して用いることのできる例えば特許文献１に記載された浴室鏡が提案されている。
【０００４】
特許文献１に記載の浴室鏡は、回動自在に連結することにより折りたたみ自在に構成された第１及び第２のアームと、第１のアームの端部に備えられた吸盤と、第２のアームの先端に備えられた鏡パネルとにより構成されており、吸盤を浴室内の壁部や鏡等に吸着させて着脱自在に取り付けられるようになっている。
【０００５】
また、上記特許文献１に記載された浴室鏡の一部の構成を変更したものとして、上記吸盤を取付板に置き換え、該取付板をビス等を用いて浴室の壁部に固定する構成の浴室鏡が知られている。
この浴室鏡をビス等を用いて浴室の壁部に取り付ける場合には、浴室鏡の荷重に対する壁部の強度やビス等の引抜強度を考慮して、取り付け先の壁部に木下地等の補強材を配備したり、浴室壁部がコンクリート等により形成されているときには、該壁部を予めドリル等で穿孔して樹脂等のアンカープラグを設けたりするといった下地作業が行われている。
【先行技術文献】
【特許文献】
【０００６】
【特許文献１】特開２００１−１０４１２２号公報
【発明の概要】
【発明が解決しようとする課題】
【０００７】
しかし、上記特許文献１の浴室鏡によると、アームを引き出し、回動操作を頻繁に行ったり、吸盤の吸着面に石鹸水等が入り込んだりすることにより吸盤の吸着力が低下し、使用中に吸盤が外れて浴室鏡が破損することがあり、特に、腰掛け台に座って使用される場合には、浴室鏡が比較的高い位置に取り付けられることがあるため、浴室鏡を安心して使用し難いという問題があった。
【０００８】
また、吸盤が外れないようにするためには、浴室鏡の荷重や稼動範囲を小さいものに制限する必要があるという問題があった。
【０００９】
一方、浴室鏡をビス等で固定する場合には、該浴室鏡が固定される壁部に補強材を配備することになるが、浴室内に事後的に補強材を配備する場合、作業が大掛かりなものとなり、かつ費用が嵩むという問題があった。
【００１０】
また、浴室の壁部が樹脂等のパネル部材により構成されている場合には、アンカープラグを用いることができないという問題があった。
【００１１】
また、浴室鏡を取り外したい場合も、その取り外し作業が煩雑で、かつ壁部に形成された孔の修復作業が発生するとともに、修復後の外観も好ましくないという問題があった。
【課題を解決するための手段】
【００１２】
上記課題を解決するために、本発明は以下の手段を提供している。
請求項１の発明は、浴室の壁部に沿って設けられた腰掛け台と、該腰掛け台の近傍に設けられた手摺りと、前記浴室内に設置された浴槽と、浴室鏡とを備えた浴室構造であって、前記浴室鏡は、鏡部と、一端側において前記鏡部を支持するアーム部と、該アーム部の他端側に設けられた把持部とを具備し、該アーム部の他端側の前記把持部が、前記手摺りに着脱自在に取り付けられていることを特徴とする。
【発明の効果】
【００１３】
本願の請求項１に記載の浴室構造によれば、浴室鏡の把持部で手摺りを把持させることにより、浴室鏡の浴室における固定を堅固に行い、浴室鏡の落下等を防止するので、腰掛け台に座った状態で鏡を安心して引き出し又は収納等して使用することができるという効果を奏する。
【００１４】
また、浴室内において浴室鏡を堅固に固定することができるため、浴室鏡の寸法や荷重の制限を少なくして仕様の自由度を高めることができるという効果を奏する。
【００１５】
また、浴室の壁部に固定された既設の手摺りに取り付けるものであるため、浴室鏡を設置するために別途下地となる補強材を配備したり壁部を施工したりする必要がなく、簡便かつ低コストに設置可能であるという効果を奏する。
【００１６】
また更に、浴室内の手摺りを把持する構成とされ、浴室の壁部にビス等による孔を開ける必要がないため、浴室鏡の取り外し作業が簡便であり、取り外した後も浴室の外観を損なうことがないという効果を奏する。
【図面の簡単な説明】
【００１７】
【図１】は、本発明の実施形態として示した浴室構造を示す斜視図である。
【図２】は、本発明の実施形態として示した浴室構造に取り付けられた手摺りを示したものであり、（ａ）は、同手摺りを示す側面図であり、（ｂ）は、手摺りの取り付け状態の一部を示す断面図である。
【図３】（ａ）は、本発明の実施形態として示した浴室構造において浴室鏡が手摺りに設置された状態を示す斜視図である。
【図４】は、本発明の実施形態として示した浴室構造の浴室鏡の把持部が手摺りに固定された状態を拡大して示した斜視図である。
【図５】は、本発明の実施形態として示した浴室構造の浴室鏡の把持部とアーム部との連結状態を示した部分拡大図である。
【図６】は、本発明の実施形態として示した浴室構造の浴室鏡の鏡部を裏面側から見た斜視図である。
【発明を実施するための形態】
【００１８】
以下、図を参照して本発明の実施形態について説明する。
図１は、本発明の一実施形態を示す図であって、本発明による浴室構造Ａにおいて浴室鏡１を浴室２に設置した状態を示すものである。
【００１９】
図１に示すように、浴室構造Ａは、壁部１０ａ、１０ｂ・・（壁部１０ａ、１０ｂに対向する壁部は図示しない）によって平面視略矩形に囲まれた内部が浴室２となっており、この浴室２内に浴槽３、洗い場４、腰掛け台５、腰掛け台５の側部に設けられ管部を引き出して用いられるシャワー６、蛇口７、手摺り８Ａ、８Ｂ、手摺り８Ａに取り付けられた浴室鏡１、扉９を備えた構成とされている。
【００２０】
浴槽３は、外形が平面視略矩形の形状に形成されており、壁部１０ａに対向する壁部に沿って設置されている。
【００２１】
腰掛け台５は、入浴者が洗い場４において腰掛ける長椅子であり、板状部５ａと脚部５ｂとにより構成され、板状部５ａが壁部１０ｂに沿って設置されている。
【００２２】
手摺り８Ａ、８Ｂは、腰掛け台５の両端側、すなわち壁部１０ａのシャワー６の上方と、壁部１０ｂの浴槽２寄り部分とにそれぞれ上下方向に延在するよう配置されている。
【００２３】
手摺り８Ａ（８Ｂ）は、図２（ａ）に示すように、握り部１１と、この握り部１１を壁部１０ａ（１０ｂ）へ固定する取付具１２、１２とを備えている。
握り部１１は、管材の上下端部１１ａ、１１ｂをそれぞれ壁部１０ａ（１０ｂ）側へ向けて折曲形成したものである。図２（ｂ）に示すように、上下端部１１ａ、１１ｂの突出端外面には、雄螺子部１４が形成されている。
【００２４】
取付具１２は、雄螺子部１４に螺着される雌螺子部１５及び係合壁部１６を有する締付ナット１７と、係合壁部１６に係合する環状突部１８を有する筒状の支持具１９と、この支持具１９を壁部１０ａ（１０ｂ）に固定する螺子２０とを備えている。
【００２５】
この取付具１２は、螺子２０に支持具１９、締付ナット１７を装着した状態で螺子２０を壁部１０ａ（１０ｂ）に螺着、固定し、支持具１９を壁部１０ａ（１０ｂ）に固定する。そして、握り部１１の上下端部１１ａ（１１ｂ）を締付ナット１７の端部に当接させ、この状態で締付ナット１７を回動させることによって雌螺子部１５を雄螺子部１４に螺着して両者を固定するものである。
【００２６】
上記の取付具１２が取り付けられる壁部１０ａ（１０ｂ）は、内面パネル１０ｐと外面パネル１０ｑとの間に桟材１０ｒが介装された構造であり、螺子２０は、内面パネル１０ｐ及び桟材１０ｒに亘って螺着されている。
【００２７】
浴室鏡１は、図３に示すように、鏡部２１と、該鏡部２１を支持し屈曲自在に形成されたアーム部２２と、アーム部２２を支持するとともに、手摺り８Ａの握り部１１を把持する把持部２３とを備えたものである。
アーム部２２は第１のアーム２２Ａと第２のアーム２２Ｂとが連結されたものであり、全長が、例えば３００ｍｍ程度になるよう、第１及び第２のアーム２２Ａ、２２Ｂの長さ寸法を、それぞれ１５０ｍｍ程度となるよう設定している。
【００２８】
鏡部２１は、鏡像を映し出すガラスパネル２４と、ガラスパネル２４の周縁部及び裏面を覆ってこれを保護する樹脂製の保護パネル２５と備えたものである。
【００２９】
把持部２３は、第２のアーム２２Ｂの端部に設けられたものであって、手摺り８Ａの握り部１１を把持してアーム部２２を手摺り８Ａに固定するものである。この把持部２３は、握り部１１を把持する固定部材３１、３２を備えている。
【００３０】
図４に示すように、固定部材３１は、円弧状の断面をもって手摺りの軸線方向に沿って延在する狭持壁３３ａと、この狭持壁３３ａの一側縁部に形成された挿通孔３４ａを有する第１のヒンジ壁３５ａ、３５ａと、同狭持壁３３ａの他側縁部に形成された貫通孔３６ａを有する緊締壁３７ａとを備えている。
狭持壁３３ａの内周面には、滑り止めとなる不図示のゴム材が設けられており、かつ、この内周面が握り部１１の断面径寸法の範囲が例えばφ２５ｍｍ〜３５ｍｍである手摺り８Ａの外周面と当接した際に、当接面が十分に確保できるよう緩やかな湾曲形状とされている。
【００３１】
固定部材３２は、上記固定部材３１と同様の形状の円弧状の断面をもつ狭持壁３３ｂと、この狭持壁３３ｂの一側縁部に形成された挿通孔３４ｂを有する第２のヒンジ壁３５ｂ、３５ｂと、同狭持壁３３ｂの他側縁部に形成され貫通孔３６ｂを有する緊締壁３７ｂとを備えている。
狭持壁３３ｂの内周面には、滑り止めとなる不図示のゴム材が設けられており、かつ、この内周面が握り部１１の断面径寸法の範囲が例えばφ２５ｍｍ〜３５ｍｍである手摺り８Ａの外周面と当接した際に、当接面が十分に確保できるよう緩やかな湾曲形状とされている。
【００３２】
固定部材３１、３２は、第１及び第２のヒンジ壁３５ａ、３５ｂを交互に位置させて各挿通孔３４ａ、３４ｂ内に軸部材４２を配置することにより互いに連結されている。
上記の構成の下に、固定部材３１、３２は、図４に示すように、軸部材４２を中心として狭持壁３３ａ、３３ｂを開閉することができる。
【００３３】
図４、図５に示すように、把持部２３と第２のアーム２２Ｂの端部とは、ユニバーサルジョイント５０により連結されている。
ユニバーサルジョイント５０の構成として、図５に示すように、把持部２３を構成する狭持壁３３ａの外面には、連結端部５１が形成されている。連結端部５１は互いに間隔をおいて対向する突出壁５３、５３を備えたものであり、この突出壁５３、５３は、互いに対向する位置に孔５２、５２を有している。
【００３４】
第２のアーム２２Ｂの端部には、連結端部５４が形成されており、連結端部５４は互いに間隔をおいて対向する突出壁部５６、５６を備えている。この突出壁５６、５６は、互いに対向する位置に孔５５、５５を有している。
【００３５】
連結端部５１、５４は、それぞれの突出壁部５３、５３、及び突出壁部５６、５６間に立方体形状の駒５７を配置し、突出壁部５３、５３の孔５２、５２に駒５７内を貫通させた軸体５８が挿入配置され、突出壁部５６、５６の孔５５、５５に駒５７内を貫通させた軸体５８に直交する方向に軸体５９が挿入配置されている。
【００３６】
上記の構成の下に、第２のアーム２２Ｂは、ユニバーサルジョイント５０の軸体５８、５９を中心として上下左右に回動することができる。
【００３７】
また、固定部材３１、３１は、図４に示すように、狭持壁３３ａ、３３ｂで手摺り８Ａを挟み込み、緊締壁３７ａ、３７ｂを貫通孔３６ａ、３６ｂを利用してボルト４７、ナット４８により締結することにより該手摺り８Ａに固定するようになっている。
【００３８】
図３に示すように、第１のアーム２２Ａと第２のアーム２２Ｂとの間も、把持部２３と第２のアーム２２Ｂの端部との連結方法と同様に、ユニバーサルジョイント６０により連結されている。
この場合、ユニバーサルジョイント６０の構成として、第１のアーム２２Ａの端部には、図５に示す連結端部５１と同様の構成を有する連結端部６１が形成されており、第２のアーム２２Ｂの端部には、該第２のアーム２２Ｂの把持部２３側の端部に形成された連結端部５４と同様の構成を有する連結端部６２が形成されている。
この構成の下に、第１のアーム２２Ａと第２のアーム２２Ｂとは、ユニバーサルジョイント６０により互いに上下左右自在に相対移動させることができる。
【００３９】
図６に示すように、鏡部２１は、第１のアーム２２Ａの端部にユニバーサルボールジョイント７０を介して取り付けられている。  
【００４０】
ユニバーサルボールジョイント７０の構成として、第１のアーム２２Ａの端部には、球状のリンク７１が形成されている。一方、鏡部２１の裏面側に設けられた保護パネル２５の中心部には、球受座７２が形成されている。
【００４１】
リンク７１は、球受座７２内に離脱不能に嵌着されており、鏡部２１はリンク７１を中心として上下左右に自在に向きを変更することができる。
【００４２】
次に、上記の構成からなる浴室構造Ａにおいて、浴室鏡１を設置する方法と浴室構造Ａにおいて浴室鏡１を使用方法について説明する。
まず、浴室鏡１を浴室２に設置するには、図４に示すように、浴室鏡１の把持部２３の固定部材３２を回動させて把持部２３を拡開し、手摺り８Ａの握り部１１の周囲に配置した上で固定部材３２を閉じ、固定部材３１と固定部材３２の緊締壁３７ａ、３７ｂを重ね合わせ、貫通孔３６ａ、３６ｂにボルト４７を挿通させてナット４８を螺合させ、浴室鏡１の自重で把持部２３がずり落ちない程度に仮留めする。
この状態で、把持部２３を握り部１１の所望の位置までスライドさせ、ボルト４７を本締めし、把持部２３を該位置に固定する。
【００４３】
かくして浴室鏡１の設置が完了するので、入浴者は、図１に示すように、壁部１０ｂに背を向けて腰掛け台５に座り、鏡部２１を顔等に接近させて使用したい場合には、図６に示す鏡部２１を壁部１０ｂに対向させるように引き出し、かつ鏡面の角度を適宜設定し、浴室鏡１を使用する。使用後は、アーム部２２を屈曲させて折りたたみ、浴室鏡１を浴室２の壁部１０ａ側に配置させておく。
【００４４】
また、浴室２において、浴室鏡１を手摺り８Ｂに取り付けたい場合には、アーム部２２を折り畳んだ状態でコンパクトにまとめておき、図４に示すボルト４７の緊締を解いて固定部材３１、３２から取り外し、固定部材３２を拡開させて手摺り８Ａから浴室鏡１を離脱させる。そして、手摺り８Ａに設置したのと同じ要領で手摺り８Ｂの所望の高さ位置に浴室鏡１を取り付ける。このようにして浴室鏡１を手摺り８Ｂに取り付けた場合には、入浴者が洗い場にいる場合には腰掛け台５の手摺り８Ｂ寄りに座って、又は浴槽３において浴室鏡１を適宜引き出し使用する。
【００４５】
上記の浴室構造Ａによれば、浴室鏡１が内壁面に滑り止めのゴム材を配した把持部２３により手摺り８Ａの握り部１１を把持してボルト４７及びナット４８により堅固に緊締される構成であるため、手摺り８Ａの上方に浴室鏡１を取り付けた場合であっても、浴室鏡１の設置中又は使用中に、把持部２３の固定が緩んで浴室鏡１が下方にずれ落ちたり、落下させてしまったりすることなく、腰掛け台５に座った状態で安心して引き出し、使用することが可能となるという効果を奏する。
また、浴室構造Ａにおいて、浴室鏡１を移動させたい場合には、浴室鏡１を手摺り８Ａから浴槽３側の手摺り８Ｂに、又はその逆に容易に移動して設置し直すことができるという効果を奏する。
【００４６】
また、浴室構造Ａは、浴室鏡１が、浴室２の壁部１０ａの内面パネル１０ｐの裏面に桟材１０ｒを配して強固に固定された既設の手摺り８Ａに取り付けるものであるため、浴室鏡１を設置するために別途下地となる補強材を配備したり、壁部１０ａを穿孔したりする作業を要することなく、所望の手摺り８Ａ又は８Ｂに取り付け自在であり、かつ簡便かつ低コストに設置可能であるという効果を奏する。
【００４７】
また、浴室鏡１の高さ位置を容易に変更することができるため、便宜的に使用できるという効果を奏する。
【００４８】
また更に、浴室２内の手摺り８Ａを把持する構成で、浴室２の壁部１０ａにビス等による孔を開ける必要がないため、浴室鏡１の取り外し後の施工が不要となり、かつ外観を損なうことがないという効果を奏する。
【００４９】
本実施形態において、把持部２３は、緊締壁３７ａ、３７ｂをボルト４７及びナット４８により締め付けて手摺り８Ａに固定する構成としたが、これに限定されるものではなく、把持部２３を構成する固定部材３１、３２との間に不図示のバネを介在させ、把持部２３の固定部材３２が固定部材３１側（閉じる方向）に付勢するように構成したものであっても良い。
【００５０】
このような構成とすることで、把持部２３の固定部材３２を手等で拡開して手摺り８Ａ（８Ｂ）の握り部１１の周囲に配置した後に固定部材３２を解放すると、不図示のバネが弾性復帰して把持部２３を閉じ、バネの付勢により把持部２３が握り部１１を容易に把持することとなって、ボルト４７等による固定作業を省略することが出来るという利点が得られる。
【００５１】
また、把持部２３の別の構成として、把持部２３を断面Ｃ字状の形状をもって手摺り８Ａの軸線方向に沿って延在する形状とし、その材質を弾性変形可能な合成樹脂により一体成形した構成とすることもできる。
把持部２３をこのように構成した場合には、ボルト４７及びナット４８等の固定手段を用いることなく把持部２３を弾性変形させて手摺りに簡便に取り付けることができる。
【００５２】
また、上記の実施形態において、腰掛け台５は、壁部１０ｂに沿って設置されているが、浴槽３に対向する側の壁面１０ａに沿って設置されたものであっても良く、この場合にも、手摺り８Ａ、８Ｂは、腰掛け台５の両端上方に設置される。
また、上記の実施形態において、手摺り８Ａ、８Ｂは、腰掛け台５の両端近傍に上下方向に設置されているが、これに限られるものではなく、腰掛け台５の長手方向中間部にも設置されたものであっても良い。
【符号の説明】
【００５３】
Ａ      浴室構造
１      浴室鏡
２      浴室
３      浴槽
５      腰掛け台
８Ａ    手摺り
８Ｂ    手摺り１０ａ  壁部
１０ｂ  壁部
２１    鏡部
２２    アーム部
２３    把持部
【図１】
2012005709.tif 000003
【図２】
2012005709.tif 000004
【図３】
2012005709.tif 000005
【図４】
2012005709.tif 000006
【図５】
2012005709.tif 000007
【図６】
2012005709.tif 000008